(57)【要約】【課題】頭頂など，ハゲている人が自毛を損傷することなく、自分の毛髪と変わらない感覚で使用することができるヘアピ一スを提供する事を目的としてなされたものである。【解決手段】所定形状に形成された柔軟なプラスチックでなるベ一スの裏面に複数個の突起が一体成形され，該ベ一スの表面に毛髪が植設されてなる事を特徴とする。又柔軟なプラスチックフィルム又はシ一トの裏面に複数個の突起が一体成形され、これとは別の柔軟なプラスチックフィルム又はシ一トの表面に毛髪が植設されてなり，前記２組のプラスチックフイルム又はシ一トが貼り合わされてなることにより、所定形状のベ一スとなされていることを特徴とするヘアピ一ス。【選択図】図１
2006291429.tif 000002
【特許請求の範囲】
【請求項１】
所定形状に形成された柔軟なプラスチックでなるベースの裏面に複数個の突起が一体成形されてなり、該ベースの表面に毛髪が植設されてなることを特徴とするヘアピース。
【請求項２】
柔軟なプラスチックフィルム又はシートの裏面に複数個の突起が一体に成形され、これとは別の柔軟なプラスチックフイルム又はシートの表面に毛髪が植設されてなり、前記の２組のプラスチックフイルム又はシートが貼り合わされてなる事により所定形状のベースと成されているヘアーピース。
【請求項３】
請求項２の毛髪が植設されたプラスチックフィルム又はシートが多重層で形成されてなるヘアーピース。
【請求項４】
請求項２又は３の毛髪が植設されたプラスチックフイルム又はシートが少なくとも部分的にネット状もしくはレ−ス状になされていることを特徴とするヘアーピース。
【請求項５】
突起が高さ１〜１０ｍｍになされている請求項１〜４のいずれかに記載のヘアピ−ス。
【請求項６】
突起の巾が１〜５ｍｍである請求項１〜５のいずれかに記載のヘアーピース。
【請求項７】
突起同志の間隔が５〜５０ｍｍで配置されてなる請求項１〜６のいずれかに記載のヘアピース。
【請求項８】
突起の頂面が円形になされている請求項１〜７のいずれかに記載のヘアピ−ス。
【請求項９】
突起の頂部が凹状になされている請求項１〜８のいずれかに記載のヘアピース。
【請求項１０】
突起の頂部の周縁部に切り込みが設けられている請求項１〜９のいずれかに記載のヘアピース。
【請求項１１】
突起の頂部が外方に花弁部が形成されてなる請求項１〜１０のいずれかに記載のヘアピース。
【請求項１２】
前記花弁部表面に溝が形成されてなる請求項１１に記載のヘアピ−ス。
【請求項１３】
ベースを構成する柔軟なプラスチックフイルム又はシートを成形型で加熱加圧成形することにより複数個の突起を成形することを特徴とするヘアーピースベースの成形方法。
【発明の詳細な説明】
【技術分野】
【０００１】  本発明は頭頂など、うすくなっている部分に増毛したり、あるいは好みのヘアースタイルを作るために装着するヘアピースに関する。
【背景技術】
【０００２】  増毛技術としては，かつらを用いてかつら止め具で止める方法や，自毛の根元に毛髪を結着させる方法があった。又増毛用のヘアピースは毛髪をベースに植設し、その裏面全面を頭皮に接着もしくは粘着させていた。【０００３】  かつら止め具で止める方法はいかにもかつらを装着していると判明してしまう場合が多く，又動作などにより当かつらが移動し不自然さがより目立った。【０００４】  人工毛髪等を結着させる方法は、自毛を傷つけ余計に脱毛を起こすことがあった。又自毛は自然に伸びるので、かつら部分が盛り上がり，その不自然さがより強調されてしまうという欠点があった。【０００５】  従来の植毛用の毛髪は、その基材が平坦なシート状であるので、これを頭皮に接着すると，接着面が大きく、かつ密着するので頭皮がかぶれたり，又頭皮の皮膚呼吸が出来ず，毛根の成育を阻害していた。さらに取り外す時に自毛が抜けたり，痛めてしまい，損傷させてしまっていた。自毛が残っている時は，平坦な全面シート状のものは頭皮に直接接着できない場合があった。【０００６】  そのため接着面にシリカのようなマイクロビーズを使用した例がある．（例えば、特許文献１参照。）  しかし、この例でも頭皮に接着した場合には、頭皮と接着面が密着し、皮膚呼吸が充分にできない恐れがある。又、シリカビ一ズを強く頭皮に押し付けると痛みを感じさせることもある。【０００７】
【特許文献１】  特開２００２−２２７０２２号公報
【発明の開示】
【発明が解決しようとする課題】
【０００８】  本発明はこのような欠点を解消し，自毛が残っている人でも手軽に増毛ができ，−定期間安定して装着し、より自然に使用ができ、かつ，自毛や頭皮や毛根を痛める事がないヘアピースを提供する事を目的としてなされたものである。
【課題を解決するための手段】
【０００９】  本発明は所定形状に形成された柔軟なプラスチックでなるベースの裏面に複数個の突起が一体成形され、該ベースの表面に毛髪が植設されたものである。又、柔軟なプラスチックフィルム又はシートの裏面に複数個の突起が一体に成形され、これとは別の柔軟なフイルム又はシートの表面に毛髪が植設されてなり、前記の２組のプラスチックフイルム又はシートが張り合わされてなることにより所定形状のベースとすることも出来る。
【発明の効果】
【００１０】  頭頂など自毛は残っているがかなりハゲている人にその自毛をよけて頭皮の部分に直接接着して装着する事により、その残っている自毛を損傷したり，又頭皮を痛める事がなく、その部分のみに自然な増毛ができる。又自分の他の毛髪と一体となり，ヘアドライヤーやブラッシングでより自然な好みのヘアスタイルを仕上げる事が出来る。
又その頭皮との接着面たる柔軟なフイルム又はシートの裏面の突起の数や長さ，又太さの調整，組み合わせにより各個人個人の特徴に合わせてそれを選択し、残っている自毛の量によって適切に仕上げ、微調整を行いより満足のいくヘアスタイルに仕上げることが出来る。長期間使用するときはその突起の数を増やし接着面を多くすることにより接着を強くすることが出来，一定期間安定して使用することが出来る。又頭皮を痛めないためには突起の数を減じてその影響を軽減することが出来る。
頭頂などの薄ハゲの人はそのハゲている状態が千差万別で、一人一人がその程度が異なっており、その一人一人に調整をしてより自然なスタイルを安定して一定期間使用できるものでありカツラを装着していることが判明できない仕上がりが可能となるものである。
【発明を実地する為の最良の形態】
【００１１】  以下、本発明の実地例を図面に従って説明し、本発明の理解に供    する。尚以下の実施例は本発明の具体一例に過ぎず、本発明の技術的範囲を限定する性格のものではない。
【００１２】  図１は  本発明に係わる植毛用の毛髪の斜視図。
図２は  図１の縦断面図のー例。柔軟なプラスチックフイルム又はシートの裏面に複数個の突起６が一体成形された５に毛髪４を植設するためのベース１が装えられ、ベース１の裏面に毛髪を固定する為の第１接着層２が装えられている。又突起を装えたフイルム５と植毛されたベース１とを一体とする為の第２接着層３により構成されている。
図３は  図１の縦断面図のその他の例であるが、毛髪４を植設するためのベ一ス１１にはレ一ス、ネット、テ一プ等が使用されている例であり、その裏面に突起６が一体成形された３が接着もしくは縫い合わされて一体となされているものである。
図４は  突起３の縦断面の例であるが、突起の頂面が円形になされている図である。
図５は  突起の頂部が凹状になされている図である。
図６は  突起の頂部の周縁部に切り込みが設けられている図である。
図７は  突起の頂部から外方に花弁部が形成されている図である。
【００１３】  本発明の好ましい実地形態に係わる増毛用ヘアピース１０は自毛の薄い部分の頭皮に直接、粘着もしくは接着して毛髪を増毛するために用いられる部材であって、図１に概念図として示すように裏面に突起３が一体成形され、その先端に粘着剤もしくは接着剤を塗着することができる。そのフイルム又はシートからなるベ一ス１の表面に毛髪２が植設されているものからなる。
【００１４】  フイルム又はシートからなるベ一ス１は例えば厚さ０．１ｍｍ〜３ｍｍ、好ましくは０．５ｍｍ〜１．５ｍｍであり、円形、矩形、正方形の形状を採用することができる。それにより個人個人のハゲ状態に合わせて切り取り使用することができる。
【００１５】  ベースを構成する柔軟なフイルム又はシートは皮膚に近い色や透明色であり、又、感覚も皮膚に近いものである。例えばポリウレタン系素材、ポリエチレン系素材、又塩化ビニール系素材、そしてシリコンゴムなどは好適である。
【００１６】  フイルム又はシートからなるベ一ス１に設けられたる突起３の形状は円形、矩形、三角形、四角形等の種々の形状を採用することができる。又その高さは１ｍｍ〜１０ｍｍほどが好適である。また、人の毛髪の頭皮に生えている間隔は約１ｍｍであるが、加齢により、薄ハゲの人は、その間隔が２ｍｍ〜４ｍｍの間隔になっている人も多い。よって突起３の巾は１〜５ｍｍが好適である。又、突起３の配列又は間隔は、５ｍｍ〜５０ｍｍであるが、更に好ましくは、１０ｍｍ〜２０ｍｍが良い。
【００１７】  突起３の間隔を上記のようにする事で、頭皮に存在する薄毛を突起３の間に逃がすことにより、ヘアピース１０の接着が薄毛により阻害されることが避けられる。
【００１８】  図２に示すように柔軟なプラスチックフィルム又はシート１ａに毛髪２が植毛されその裏面を毛髪を固定するために接着剤１ｂが設けられており、乾燥後、再度毛髪２を植毛し、接着剤で固定する。複数回繰り返すことにより、毛髪の密度を高め、又毛髪の方向も意図的に方向付けが可能となり、多重層による植毛により、より人間の髪や髪型の再現を可能にする事が出来る例である。
【００１９】  図３に示すように、毛髪を植毛するベースとなる素材１ｅとして、レース材、メッシュ材、テープ材等が選択することが出来る例である。
【００２０】  図４は突起３の縦断面の例であるが、突起の頂面３ａが円形に成されている図である。又、フィルム又はシ一ト１ａと突起が一体成形された１ｄと接着剤１ｃで接合してベ一スを完成することによりヘアピ一ス１０が得られる。
【００２１】  図５は突起３の縦断面図の例であるが、突起頂部３ｂが凹状に成されている図である。
【００２２】  図６は、突起３の縦断面図の例であるが、突起の頂部３ｂの周縁部に切り込み３ｃが設けられている図である。
【００２３】  図７は、突起３の縦断面図の例であるが、突起の頂部から外方に花弁部３ｄが形成されている図である。
【図面の簡単な説明】
【００２４】
【図１】本発明ヘアピースの一例を示す斜視図。
【図２】本発明ヘアピースの一例を示す断面図。
【図３】本発明ヘアピースの別の例を示す断面図。
【図４】本発明ヘアピースの突起部分を示す断面図。
【図５】本発明ヘアピースの突起部分の別の例を示す断面図。
【図６】本発明ヘアピースの突起部分の更に別の例を示す断面図。
【図７】本発明ヘアピースの突起部分の更に別の例を示す断面図。
【符号の説明】
【００２５】  １  柔軟なプラスチックでなるベース。
２  毛髪
３  突起
１０  ヘアピース
【図１】
2006291429.tif 000003
【図２】
2006291429.tif 000004
【図３】
2006291429.tif 000005
【図４】
2006291429.tif 000006
【図５】
2006291429.tif 000007
【図６】
2006291429.tif 000008
【図７】
2006291429.tif 000009